(57)【要約】      （修正有）【課題】あらゆる取付け面に確実に取り付けることができ、従来よりも、一時的な取外しを行いやすくしたカレンダーを提供する。【解決手段】止着手段３を主板１の前面に備え、壁面あるいは冷蔵庫や本棚等の取付け面に対して、取付け手段２によって直接取り付けられる台座Ｂ１と、カレンダーを印刷した複数の紙葉の上縁を綴じるとともに、その上縁の背面に上記台座Ｂ１の止着手段３に吸着可能な止着手段を有するカレンダー本体Ｃ１とからなるカレンダーＡ１。【選択図】図３
0003142069.tif 000002
【実用新案登録請求の範囲】
【請求項１】
止着手段を主板の前面に備え、壁面あるいは冷蔵庫や本棚等の取付け面に対して、取付け手段によって直接取り付けられる台座と、
カレンダーを印刷した複数の紙葉の上縁を綴じるとともに、その上縁の背面に上記台座の止着手段に吸着可能な止着手段を有するカレンダー本体とからなることを特徴とするカレンダー。
【請求項２】
上記カレンダー本体の止着手段がマグネットシートであり、上記台座の止着手段が金属板であることを特徴とする請求項１記載のカレンダー。
【請求項３】
上記カレンダー本体の紙葉を綴じる留め具が上記止着手段を兼ねる金属製のもので、上記台座の止着手段がマグネットシートであることを特徴とする請求項１記載のカレンダー。
【請求項４】
上記カレンダー本体が、台座からの取外しのためのツマミを備えてなることを特徴とする請求項１，２または３記載のカレンダー。
【請求項５】
上記台座が、カレンダー本体を取り外す際に指を差し入れて留め具を摘むことができるようにした取外し用孔を開設してなることを特徴とする請求項１，２または３記載のカレンダー。
【請求項６】
上記台座の取付け手段が、その主板の上縁に取り付けた取付けリングであることを特徴とする請求項１，２，３または４記載のカレンダー。
【請求項７】
上記台座の取付け手段が、その主板の上部に形成された取付け孔であることを特徴とする請求項１，２，３，４または５記載のカレンダー。
【請求項８】
上記台座の取付け手段が、その主板の裏面に貼付したマグネットシートあるいは両面テープであることを特徴とする請求項１，２，３，４または５記載のカレンダー。
【考案の詳細な説明】
【技術分野】
【０００１】
本考案は壁面、あるいは、冷蔵庫や本棚等に対して取り付けることができるカレンダーに関する。
【背景技術】
【０００２】
従来より、壁面、あるいは、冷蔵庫や本棚等のスチール製品の前面や側面に取り付けることができるカレンダーとして各種のものが知られている（特許文献１，２）。
【０００３】
特許文献１のものは、カレンダー本体の背面上端縁部にゴム磁石部材を添着するとともに、そのゴム磁石部材の外面に接着および剥離が自在な接着剤層が塗着形成されているものである。
これは、磁石との間に吸着力を生ずる磁性金属（以下、単に「金属」という。）製の取付け面に対しては、上記ゴム磁石部材の吸着により、また、磁石との間に吸着力を生じない木材などの非金属製の取付け面に対しては、上記接着剤層の接着により、取り付けることができようになっている。
【０００４】
特許文献２には、マグネットシートの下縁部と切り抜き離型紙つき粘着シートの上縁部とを接着剤で接合し、上記切り抜き離型紙つき粘着シートの前面に、情報担持シートの積層体を設けた形態のカレンダー等が開示されている。
これは、冷蔵庫等のスチール等の金属製の取付け面に対しては、上記マグネットシートにより、また、非金属製の平滑な壁面に対しては、上記粘着シートにより取り付けられるようになっているものである。
【特許文献１】実開平５−７４７７号公報
【特許文献２】特開２００２−９１３１９号公報
【考案の開示】
【考案が解決しようとする課題】
【０００５】
上記のようなカレンダーは、スケジュール等を記入して使用することが便利であるが、取付け面に掛けたままの状態での書き込みは行いづらいので、書き込みを行う際に一時的に取り外すことができると便利である。
この点、上記特許文献１のカレンダーのようなゴム磁石部材で金属製の取付け面に取り付けられているものは、スケジュール等の記入に際しては取付け面から容易に取り外し、記入ののち再度取り付けることができる。
【０００６】
上記特許文献２のカレンダーも、マグネットシートでスチール製品等に取り付ける場合には、容易に取外しおよび取付けができる。
【０００７】
しかしながら、このようなマグネットシートによる取付けは金属面に対してしか行えない。
金属面以外への取付けは、接着及び剥離が自在な両面テープや粘着シートによれば行うことができるが、凹凸のある壁紙など平滑でない取付け面に対して取り付ける必要がある場合、取付けを確実にするため粘着力の高い粘着シート等を使用する必要があるので、取外し易さが損なわれてしまう。逆に、取外しやすいように粘着力を低くした粘着シート等を使用すると、取り付け状態が不安定で落下し易くなってしまう。
したがって、凹凸のある非金属面に対して取り付けたカレンダーは、スケジュール記入のための一時的な取外しおよび再度の取付けを繰り返し行うことが難しかった。
【０００８】
そこで、本考案は、凹凸のある非金属面を含むあらゆる取付け面に確実に取り付けることができ、しかも、一時的な取外しが行いやすいカレンダーの提供を課題とする。
【課題を解決するための手段】
【０００９】
請求項１記載の本考案カレンダーは、止着手段３，１１，１５，２３を主板１，９，１３，２０の前面に備え、壁面あるいは冷蔵庫や本棚等の取付け面に対して、取付け手段２，１０，１４，２１によって直接取り付けられる台座Ｂ１，Ｂ２，Ｂ３，Ｂ４と、カレンダーを印刷した複数の紙葉５，１６，２４の上縁を綴じるとともに、その上縁の背面に上記台座Ｂ１，Ｂ２，Ｂ３，Ｂ４の止着手段３，１１，１５，２３に吸着可能な止着手段７，１８，２６を有するカレンダー本体Ｃ１，Ｃ２，Ｃ３，Ｃ４とからなる。
【００１０】
請求項２記載の本考案は、上記カレンダー本体Ｃ１，Ｃ２，Ｃ３，Ｃ４の止着手段７，１８，２６がマグネットシートであり、上記台座Ｂ１，Ｂ２，Ｂ３，Ｂ４の止着手段３，１１，１５，２３が金属板である請求項１記載のカレンダーである。
【００１１】
請求項３記載の本考案は、上記カレンダー本体Ｃ１，Ｃ２，Ｃ３，Ｃ４の紙葉５，１６，２４を綴じる留め具６，１７，２５が上記止着手段を兼ねる金属製のもので、上記台座Ｂ１，Ｂ２，Ｂ３，Ｂ４の止着手段がマグネットシートである請求項１記載のカレンダーである。
【００１２】
請求項４記載の本考案は、上記カレンダー本体Ｃ１，Ｃ２，Ｃ３が、台座からの取外しのためのツマミ８，１９を備えてなる請求項１，２または３記載のカレンダーである。
【００１３】
請求項５記載の本考案は、上記台座Ｂ４が、カレンダー本体Ｃ４を取り外す際に指を差し入れて留め具２５を摘むことができるようにした取外し用孔２２を開設してなる請求項１，２または３記載のカレンダーである。
【００１４】
請求項６記載の本考案は、上記台座Ｂ１の取付け手段が、その主板１の上縁に取り付けた取付けリング２である請求項１，２，３または４記載のカレンダーである。
【００１５】
請求項７記載の本考案は、上記台座Ｂ２，Ｂ３，Ｂ４の取付け手段が、その主板９，１３，２０の上部に形成された取付け孔１０，１４，２１である請求項１，２，３，４または５記載のカレンダーである。
【００１６】
請求項８記載の本考案は、上記台座Ｂ１〜Ｂ４の取付け手段が、その主板１９，１３，２０の裏面に貼付したマグネットシートあるいは両面テープである請求項１，２，３，４または５記載のカレンダーである。
【考案の効果】
【００１７】
請求項１記載の本考案カレンダーは、あらゆる取付け面に確実に取り付けることができ、カレンダー本体の一時的な取外しが行いやすい。
【００１８】
請求項２および３記載の本考案は、カレンダー本体を台座に対してマグネットシートで止着できるので、構成が簡易で、また、カレンダー本体の取外し、取付けが簡単である。
【００１９】
請求項４および５記載の本考案は、ツマミまたは取外し用孔を有するので、カレンダー本体の取外しが容易に行える。
【００２０】
請求項６，７および８記載の本考案は、台座を取付け面に対して、取付け手段によって確実に取り付けることができる。
【考案を実施するための最良の形態】
【００２１】
止着手段３，１１，１５，２３を主板１，９，１３，２０の前面に備え、壁面あるいは冷蔵庫や本棚等の取付け面に対して、取付け手段によって直接取り付けられる台座Ｂ１，Ｂ２，Ｂ３，Ｂ４と、カレンダーを印刷した複数の紙葉５，１６，２４の上縁を綴じるとともに、その上縁の背面に上記台座Ｂ１，Ｂ２，Ｂ３，Ｂ４の止着手段３，１１，１５，２３に吸着可能な止着手段７，１８，２６を有するカレンダー本体Ｃ１，Ｃ２，Ｃ３，Ｃ４とからなるカレンダー。
【実施例１】
【００２２】
図１〜５に示すとおり、本実施例のカレンダーＡ１は、壁面あるいは冷蔵庫や本棚等のスチール製品の前面、側面の取付け面に対して直接取り付けられる台座Ｂ１と、この台座Ｂ１に対して取外し可能に止着されるカレンダー本体Ｃ１とからなる。
【００２３】
上記台座Ｂ１は、縦約４０ｃｍ、横約３０ｃｍの長方形をなす厚紙製の主板１に対し、その上縁の背面に２つの取付リング（取付手段）２，２をそれぞれ左右回動自在に取り付けるとともに、前面の上下方向中央の位置に帯状の鉄板等の金属板（止着手段）３を固定してなるものである。４は、上記主板１前面の上半部に取り付けた物入れである。この物入れ４には、レシート、チケット、診察券、写真等を収納することが可能である。
主板１の前面の上部の空いたスペースには、広告や宣伝の表示、キャラクターの表示等を行うことが可能である。また、ホワイトボードとして、メモ書きを消去可能に記入できるようにするのも好ましい。
【００２４】
上記カレンダー本体Ｃ１は、カレンダーを印刷した複数の紙葉５の上縁を、断面コ字形の金属製あるいは紙製の留め具６で綴じるとともに、その留め具６の背面、すなわちこのカレンダー本体Ｃ１の背面の上縁に、上記台座Ｂ１の金属板３に吸着可能なマグネットシート（止着手段）７を取り付け、また、その留め具６の前面の左右２箇所に円柱状をなすウレタン製のツマミ８，８を取り付けてなる。そのツマミ８，８の取付けは、接着によってもよいし、背面側から上記紙葉５を貫通させたビスで固定することとしてもよい。
なお、上記ツマミの材質・形状・個数・取付け位置等は適宜変更できる。その材質としては、他の合成樹脂、金属、木、紙等を使用することができる。取付け位置および個数についても、左右２箇所でなくたとえば中央に一つとすることもできる。形状については、たとえば、図５に符号８で示したような、留め具６の表面と同幅で、たとえば５ｍｍ程度の厚みを有し、片手でつまめる横長板状のものとすることもできる。
カレンダー本体Ｃ１の上記各紙葉５には、一枚当たりひと月ずつのカレンダーを表示してもよいし、複数月のカレンダーを表示してもよい。それらの紙葉５は、留め具６を省略して、互いに接着することで綴じてもよい。
【００２５】
上記カレンダーＡ１の台座Ｂ１は、磁石での取付けが可能な冷蔵庫や本棚等の金属面、画鋲等による鋲着が可能な壁紙を貼った板壁等、鋲着ができず両面テープ等による取付けを要するコンクリート壁あるいは壁紙を張ったコンクリート壁等、各種の取付け面に直接取り付けることができる。
【００２６】
すなわち、鋲着可能な取付け面には、その取付け面に刺した画鋲やフックに取付けリング２，２を掛けること等により、取り付けることができる。
【００２７】
金属面には、磁石付きのフックを吸着させて取り付けておき、これに上記取付けリング２，２を掛けること等により取り付けることができ、また、上記取付けリング２，２を用いることなく、台座Ｂ１の裏面に両面テープやマグネットシート）（取付手段）を貼付し、これによって取り付けることもできる。
【００２８】
コンクリート壁等には、その面に接着したフックに取付けリング２，２を掛けるなどして取り付けることができるが、上記取付けリング２，２を用いることなく、台座Ｂ１の裏面に両面テープ（取付手段）を貼付しておき、これによって取り付けることもできる。
【００２９】
取付け面が、凹凸のある壁紙を張った壁面等である場合、上記フックを、あるいは、台座Ｂ１を直接取り付けるには、強力な両面テープを使用するか、画鋲等を使用して、確実な取付けを行うものとする。
【００３０】
上記カレンダー本体Ｃ１は、上記台座Ｂ１に対して、上記マグネットシート７を上記金属板３に吸着させて止着することができ、また、上記ツマミ８，８を摘むことによって、台座Ｂ１から簡単に取り外すことができる。
【００３１】
したがって、どのような取付け面に対してでも、台座Ｂ１をしっかり取り付けておきさえすれば、この台座Ｂ１に対してのカレンダー本体Ｃ１の止着および取外しを簡単に、繰り返し行うことができる。
すなわち、凹凸のある壁紙を張った壁面等、強力なテープで取り付ける必要がある場合にも、台座Ｂ１を確実に取り付けておけば、カレンダー本体Ｃ１は台座Ｂ１から簡単に取外し、また、再度止着することができる。
【００３２】
カレンダー本体Ｃ１の各紙葉にスケジュールの記入やメモ書き等を行う際、また、紙葉５を切り取る際等には、該カレンダー本体Ｃ１を台座Ｂ１から取外し、机上等で容易に作業を行うことができる。
【００３３】
なお、上記カレンダー本体Ｃ１は、毎年、各年のものに取り換えて、上記台座Ｂ１に止着することができる。
【実施例２】
【００３４】
実施例２の本考案カレンダーＡ２は、図６に示すように、台座Ｂ２が上記実施例１のものと異なるだけのものである。
すなわち、本実施例の台座Ｂ２は、縦約２０ｃｍ、横約３０ｃｍの横長方形をなす、厚紙製の主板９の上部中央に、画鋲等に掛けるための取付け孔（取付手段）１０を形成するとともに、その主板９前面の下部に帯状の鉄板等の金属板（止着手段）１１を固定してなる。
【００３５】
カレンダー本体Ｃ２は、実施例１のカレンダー本体Ｃ１と同一の構造のもので、上記台座Ｂ２に対して、マグネットシート（止着手段）７を上記金属板１１に吸着させて、止着することができ、また、ツマミ８をつまんで簡単に取り外すことができる。
【実施例３】
【００３６】
本実施例のカレンダーＡ３の台座Ｂ３は、図７，８に示すように、縦約４０ｃｍ、横約３０ｃｍの長方形をなす厚紙製の主板１３の上縁に３つの取付け孔（取付手段）１４を設けるとともに、前面の上下方向中央の位置に帯状の鉄板等の金属板（止着手段）１５を固定してなるものである。
【００３７】
カレンダー本体Ｃ３は、カレンダーを印刷した複数の紙葉１６の上縁を、断面コ字形の金属製あるいは紙製の留め具１７で綴じるとともに、その留め具１７の背面の左右に、上記台座Ｂ３の金属板１５に吸着可能なマグネットシート（止着手段）１８，１８を取り付け、また、それらマグネットシート１８，１８の間にプラスチック製のツマミ１９を、その上部を留め具１７の上方に突出させて取り付けてなる。
【００３８】
上記カレンダー本体Ｃ３は、上記台座Ｂ３に対して、マグネットシート１８，１８を金属板１５に吸着させて取り付けることができ、その取外しは、上記ツマミ１９を引いて、簡単に行うことができる。
【実施例４】
【００３９】
本実施例のカレンダーＡ４の台座Ｂ４は、図９，１０に示すように、主板２０の上縁に３つの取り付け孔２１を開設し、前面の上下方向中央でかつ左右方向中央の位置に、取外し用孔２２を開設し、その取外し用孔２２の左右に、一対の帯状の金属板（止着手段）２３，２３を固定したものである。
【００４０】
カレンダー本体Ｃ４は、カレンダーを印刷した複数の紙葉２４の上縁を、断面コ字形の金属製あるいは紙製の留め具２５で綴じるとともに、その留め具２５の背面の左右に、上記台座Ｂ４の金属板２３，２３に吸着可能なマグネットシート（止着手段）２６，２６を取り付けている。
【００４１】
この間レンダー本体Ｃ４は、上記台座Ｂ４に対して、マグネットシート２６，２６を金属板２３，２３に吸着させて取り付けることができ、その取外しは、上記取外し用孔２２から指を差し入れて留め具２５を摘むことにより容易に行える。
【００４２】
上記各実施例においては、台座Ｂ１〜Ｂ４側に金属板３，１１，１５，２３を、カレンダー本体Ｃ１〜Ｃ４側にマグネットシート７，１８，２６を取り付けることとしたが、逆に、カレンダー本体Ｃ１〜Ｃ４の金属製の留め具自体が、止着手段を兼ねるものとし、これを、台座Ｂ１〜Ｂ４側に設けたマグネットシートに吸着させるようにすることもできる。
【図面の簡単な説明】
【００４３】
【図１】本考案の実施例１に係るカレンダーの斜視図である。
【図２】図１のＩ−Ｉ線縦断拡大図である。
【図３】上記カレンダーのカレンダー本体を台座から取外した状態の斜視図である
【図４】その状態の要部拡大縦断面図である。
【図５】（ａ）は、他の形状のツマミを有するカレンダー本体の縦断斜視図、（ｂ）は、台座の縦断面図である。
【図６】本考案の実施例２に係るカレンダーの斜視図である。
【図７】本考案の実施例３に係るカレンダーの斜視図である。
【図８】上記カレンダーのカレンダー本体を台座から取外した状態の斜視図である。
【図９】本考案の実施例４に係るカレンダーの斜視図である。
【図１０】上記カレンダーのカレンダー本体を台座から取外した状態の斜視図である。
【符号の説明】
【００４４】
Ａ１〜Ａ４  カレンダー
Ｂ１〜Ｂ４  台座
Ｃ１〜Ｃ４  カレンダー本体
１，９，１３，２０ 主板
２   取付けリング(取付手段)
３，１１，１５，２３ 止着手段
７，１８，２６  止着手段
５，１６，２４  紙葉
６，１７，２５  留め具
８，１９  ツマミ
１０，１４，２１ 取付け孔（取付手段）
２２   取外し用孔
【図１】
0003142069.tif 000003
【図２】
0003142069.tif 000004
【図３】
0003142069.tif 000005
【図４】
0003142069.tif 000006
【図５】
0003142069.tif 000007
【図６】
0003142069.tif 000008
【図７】
0003142069.tif 000009
【図８】
0003142069.tif 000010
【図９】
0003142069.tif 000011
【図１０】
0003142069.tif 000012